【手続補正書】
【提出日】平成25年11月20日(2013.11.20)
【手続補正１】
【補正対象書類名】明細書
【補正対象項目名】００１４
【補正方法】変更
【補正の内容】
【００１４】
請求項１に記載の発明は、任意の被写体に対して場所を変えながら複数の画像を撮像する際の撮影場所の選定を指南する指南手段を備え、前記指南手段は、前記被写体の位置（Ａ）を取得する第１の取得手段と、前記被写体を最初に撮影する際の撮影位置（Ｂ）を取得する第２の取得手段と、前記２つの位置（Ａ、Ｂ）に基づいて２回目以降の撮影候補位置を演算する演算手段と、前記演算手段で演算された撮影候補位置での撮影を指南する指南情報を出力する出力手段とを備えたことを特徴とする撮像装置である。
請求項２に記載の発明は、前記演算手段は、前記被写体の位置（Ａ）を中心にして、前記２つの位置（Ａ、Ｂ）の間の距離と略同等の距離にある任意の位置を前記２回目以降の撮影候補位置として求め、前記出力手段は、前記２回目以降の撮影候補位置を示す所定のマークをユーザに対する指南情報として画面上の地図に表示することを特徴とする請求項１に記載の撮像装置である。
請求項３に記載の発明は、前記演算手段は、前記被写体の位置（Ａ）を中心にして、前記２つの位置（Ａ、Ｂ）の間の距離に相当する長さの半径を持つ円を描き、当該円上の位置を、前記２回目以降の撮影候補位置として求め、前記出力手段は、前記円と前記２回目以降の撮影候補位置を示す所定のマークとをユーザに対する指南情報として画面上の地図に表示することを特徴とする請求項２に記載の撮像装置である。
請求項４に記載の発明は、前記演算手段は、前記２回目以降の撮影候補位置のいずれか１つの付近でユーザが実際に撮影を行う際、その実際の撮影位置が前記円上にない場合に、前記被写体を撮像するための撮像部の画角を増減変化させて、あたかも前記円上で実際の撮影が行われたかのように当該撮影候補位置の修正を行うことを特徴とする請求項３に記載の撮像装置である。
請求項５に記載の発明は、前記円上に設定された前記２回目以降の撮影候補位置の間隔をユーザに変更させるためのインターフェース手段をさらに備えたことを特徴とする請求項３に記載の撮像装置である。
請求項６に記載の発明は、前記演算手段は、前記２回目以降の撮影候補位置のいずれか１つが立ち入り困難な区域または立ち入りが制限された区域に含まれている場合に、当該区域を避けた場所に当該撮影候補位置を移動するように修正することを特徴とする請求項１に記載の撮像装置である。
請求項７に記載の発明は、前記演算手段は、前記２回目以降の撮影候補位置のいずれか１つが障害物に邪魔されて前記被写体を見通せない場所にある場合に、当該撮影候補位置を、前記障害物を回避して前記被写体を見通せる場所に移動するように修正することを特徴とする請求項１に記載の撮像装置である。
請求項８に記載の発明は、前記被写体を最初に撮影する際の撮影位置（Ｂ）と現在位置とが異なる場合に、前記撮影位置（Ｂ）と現在位置との相対的な位置関係または前記撮影位置（Ｂ）への経路を提示して案内する第１の案内手段をさらに備えたことを特徴とする請求項１に記載の撮像装置である。
請求項９に記載の発明は、前記２回目以降の撮影候補位置と現在位置との相対的な位置関係または前記２回目以降の撮影候補位置への経路を提示して案内する第２の案内手段をさらに備えたことを特徴とする請求項１に記載の撮像装置である。
請求項１０に記載の発明は、任意の被写体に対して場所を変えながら複数の画像を撮像する際の撮影場所の選定を指南する指南工程を含む撮像制御方法であって、前記指南工程は、前記被写体の位置（Ａ）を取得する第１の取得工程と、前記被写体を最初に撮影する際の撮影位置（Ｂ）を取得する第２の取得工程と、前記２つの位置（Ａ、Ｂ）に基づいて２回目以降の撮影候補位置を演算する演算工程と、前記演算工程で演算された撮影候補位置での撮影を指南する指南情報を出力する出力工程とを含むことを特徴とする撮像制御方法である。
請求項１１に記載の発明は、撮像装置のコンピュータに、任意の被写体に対して場所を変えながら複数の画像を撮像する際の撮影場所の選定を指南する指南手段としての機能を与えるためのプログラムであって、前記指南手段は、前記被写体の位置（Ａ）を取得する第１の取得手段と、前記被写体を最初に撮影する際の撮影位置（Ｂ）を取得する第２の取得手段と、前記２つの位置（Ａ、Ｂ）に基づいて２回目以降の撮影候補位置を演算する演算手段と、前記演算手段で演算された撮影候補位置での撮影を指南する指南情報を出力する出力手段とを含むことを特徴とするプログラムである。
【手続補正２】
【補正対象書類名】特許請求の範囲
【補正対象項目名】全文
【補正方法】変更
【補正の内容】
【特許請求の範囲】
【請求項１】
任意の被写体に対して場所を変えながら複数の画像を撮像する際の撮影場所の選定を指南する指南手段を備え、
前記指南手段は、
前記被写体の位置（Ａ）を取得する第１の取得手段と、
前記被写体を最初に撮影する際の撮影位置（Ｂ）を取得する第２の取得手段と、
前記２つの位置（Ａ、Ｂ）に基づいて２回目以降の撮影候補位置を演算する演算手段と、
前記演算手段で演算された撮影候補位置での撮影を指南する指南情報を出力する出力手段と
を備えたことを特徴とする撮像装置。
【請求項２】
前記演算手段は、前記被写体の位置（Ａ）を中心にして、前記２つの位置（Ａ、Ｂ）の間の距離と略同等の距離にある任意の位置を前記２回目以降の撮影候補位置として求め、
前記出力手段は、前記２回目以降の撮影候補位置を示す所定のマークをユーザに対する指南情報として画面上の地図に表示することを特徴とする請求項１に記載の撮像装置。
【請求項３】
前記演算手段は、前記被写体の位置（Ａ）を中心にして、前記２つの位置（Ａ、Ｂ）の間の距離に相当する長さの半径を持つ円を描き、当該円上の位置を、前記２回目以降の撮影候補位置として求め、
前記出力手段は、前記円と前記２回目以降の撮影候補位置を示す所定のマークとをユーザに対する指南情報として画面上の地図に表示することを特徴とする請求項２に記載の撮像装置。
【請求項４】
前記演算手段は、前記２回目以降の撮影候補位置のいずれか１つの付近でユーザが実際に撮影を行う際、その実際の撮影位置が前記円上にない場合に、前記被写体を撮像するための撮像部の画角を増減変化させて、あたかも前記円上で実際の撮影が行われたかのように当該撮影候補位置の修正を行うことを特徴とする請求項３に記載の撮像装置。
【請求項５】
前記円上に設定された前記２回目以降の撮影候補位置の間隔をユーザに変更させるためのインターフェース手段をさらに備えたことを特徴とする請求項３に記載の撮像装置。
【請求項６】
前記演算手段は、前記２回目以降の撮影候補位置のいずれか１つが立ち入り困難な区域または立ち入りが制限された区域に含まれている場合に、当該区域を避けた場所に当該撮影候補位置を移動するように修正することを特徴とする請求項１に記載の撮像装置。
【請求項７】
前記演算手段は、前記２回目以降の撮影候補位置のいずれか１つが障害物に邪魔されて前記被写体を見通せない場所にある場合に、当該撮影候補位置を、前記障害物を回避して前記被写体を見通せる場所に移動するように修正することを特徴とする請求項１に記載の撮像装置。
【請求項８】
前記被写体を最初に撮影する際の撮影位置（Ｂ）と現在位置とが異なる場合に、前記撮影位置（Ｂ）と現在位置との相対的な位置関係または前記撮影位置（Ｂ）への経路を提示して案内する第１の案内手段をさらに備えたことを特徴とする請求項１に記載の撮像装置。
【請求項９】
前記２回目以降の撮影候補位置と現在位置との相対的な位置関係または前記２回目以降の撮影候補位置への経路を提示して案内する第２の案内手段をさらに備えたことを特徴とする請求項１に記載の撮像装置。
【請求項１０】
任意の被写体に対して場所を変えながら複数の画像を撮像する際の撮影場所の選定を指南する指南工程を含む撮像制御方法であって、
前記指南工程は、
前記被写体の位置（Ａ）を取得する第１の取得工程と、
前記被写体を最初に撮影する際の撮影位置（Ｂ）を取得する第２の取得工程と、
前記２つの位置（Ａ、Ｂ）に基づいて２回目以降の撮影候補位置を演算する演算工程と、
前記演算工程で演算された撮影候補位置での撮影を指南する指南情報を出力する出力工程と
を含むことを特徴とする撮像制御方法。
【請求項１１】
撮像装置のコンピュータに、
任意の被写体に対して場所を変えながら複数の画像を撮像する際の撮影場所の選定を指南する指南手段としての機能を与えるためのプログラムであって、
前記指南手段は、
前記被写体の位置（Ａ）を取得する第１の取得手段と、
前記被写体を最初に撮影する際の撮影位置（Ｂ）を取得する第２の取得手段と、
前記２つの位置（Ａ、Ｂ）に基づいて２回目以降の撮影候補位置を演算する演算手段と、
前記演算手段で演算された撮影候補位置での撮影を指南する指南情報を出力する出力手段と
を含むことを特徴とするプログラム。